(57)【要約】  反射板とカバーとの位置関係を固定するために専用の部材を必要とすることなく、安定して反射板とカバーとを係合させる。光源格納部（３０）は、光源格納部（４０）を本体シャーシ（７）と接続するバネ部（５）を有する。バネ部（５）は、カバー（１）における反射板（３）と係合する係合溝（１ａ）を押圧する。カバー（１）は、バネ部（５）によって押圧されることにより、係合溝（１ａ）で反射板（３）に圧接している。
2016052484.tif 000002
【特許請求の範囲】
【請求項１】
筐体と、
光源を格納する光源格納部とを備え、
前記光源格納部は、
前記光源が配置された配置板と、
前記光源を覆い、前記配置板と係合する係合部を有するカバーと、
前記光源格納部を前記筐体と接続する接続部材とを有し、
前記接続部材は、前記係合部を前記配置板に押し当てるように前記係合部を押圧する押圧部を有していることを特徴とする照明装置。
【請求項２】
前記筐体は、前記筐体の内部で前記接続部材を保持する保持部材を有していることを特徴とする請求項１に記載の照明装置。
【請求項３】
前記筐体には、前記保持部材による前記接続部材の保持を解除する操作を行うための操作穴が設けられていることを特徴とする請求項２に記載の照明装置。
【請求項４】
前記保持部材は、前記操作穴の付近に固定されていることを特徴とする請求項３に記載の照明装置。
【請求項５】
前記光源格納部は、前記筐体との位置関係を定めるための位置決め部材を有し、
前記位置決め部材の前記光源格納部から突出している部分の最も高い部分の高さは、前記接続部材の前記光源格納部から突出している部分の最も高い部分の高さよりも高いことを特徴とする請求項１に記載の照明装置。
【発明の詳細な説明】
【技術分野】
【０００１】
本発明は、光源を格納する光源格納部と光源を駆動する電源を格納する電源格納部とを備える照明装置に関する。
【背景技術】
【０００２】
近年、低消費電力、長寿命などの観点から、ＬＥＤ（Light Emitting Diode）を用いた照明装置が普及してきている。このような照明装置として、ＬＥＤを駆動する電源を天井などに設けられた電力線に接続するために、電源を格納する電源格納部を有する電源筐体を天井などに固定し、ＬＥＤを電源に接続するために、ＬＥＤを格納する光源格納部を有するＬＥＤ筐体を電源筐体に取り付ける構造を採用した照明装置がある。【０００３】
例えば、特許文献１には、電源ケース（電源格納部）に設けられたストッパーを照明ケース（光源格納部）に設けられた電源ケース取付孔に嵌め込むことにより、電源ケースを照明ケースに取り付ける構造が開示されている。【０００４】
また、特許文献２には、ＬＥＤモジュールを格納した器具本体（光源格納部）が、点灯装置を格納したシャーシ（電源格納部）に、バネ性を有する係合板および揺動板（バネ構造）で保持される構造が開示されている。この構造において、器具本体をシャーシに取り付けるとき、シャーシに器具本体を当てて押し上げると、シャーシの係合板が、器具本体の係止孔に挿入されることにより、器具本体がシャーシに保持される。また、この構造において、器具本体をシャーシから外すとき、係合板を押し込むと、係合板が係止孔から外れることにより、器具本体の保持が解除される。
【先行技術文献】
【特許文献】
【０００５】
【特許文献１】日本国公開特許公報「特開２００９−１８１８１３号（２００９年８月１３日公開）」
【特許文献２】日本国公開特許公報「特開２０１１−１８７３１７号（２０１１年９月２２日公開）」
【発明の概要】
【発明が解決しようとする課題】
【０００６】
特許文献１および２に開示された照明装置によれば、それぞれの取付構造を用いて、光源格納部が電源格納部に取り付けられる。しかしながら、取付構造を用いて、光源格納部に設けられた反射板と、光源格納部を覆うカバーとの位置関係を固定することはできない。このため、反射板とカバーとの位置関係を固定する固定部材が別途必要となるので、コストアップを招くだけでなく、作業工数が増加するという問題がある。【０００７】
また、ＬＥＤ実装基板が固定された反射板をカバーに係合させるような構造を採用した場合、反射板とカバーとが係合する係合部に遊びを設ける必要がある。しかしながら、この遊びによって係合部においてガタつきが生じるために、反射板とカバーとの接触部分が破損しやすいという不具合がある。【０００８】
本発明は、上記の課題に鑑みてなされたものであって、反射板とカバーとの位置関係を固定するために専用の部材を必要とすることなく、安定して反射板とカバーとを係合させる構造を提供することを目的としている。
【課題を解決するための手段】
【０００９】
上記の課題を解決するために、本発明の一態様に係る照明装置は、筐体と、光源を格納する光源格納部とを備え、前記光源格納部が、前記光源が配置された配置板と、前記光源を覆い、前記配置板と係合する係合部を有するカバーと、前記光源格納部を前記筐体と接続する接続部材とを有し、前記接続部材が、前記係合部を前記配置板に押し当てるように前記係合部を押圧する押圧部を有していることを特徴としている。
【発明の効果】
【００１０】
本発明の一態様によれば、接続部材は、配置板とカバーとの位置関係を固定しつつ、筐体と光源格納部との接続を兼ねるので、固定のための新たな部品が不要となり、配置板とカバーとの位置関係を固定するために専用の部材を必要とすることなく、安定して配置板（反射板）とカバーとを係合させることができる。したがって、コスト削減および作業工数の削減を図ることができるという効果を奏する。
【図面の簡単な説明】
【００１１】
【図１】本発明の実施形態１〜３に係る照明装置の構成を示す斜視図である。
【図２】図１に示される照明装置の詳細構成を示す図であって、（ａ）は正面図であり、（ｂ）は側面図であり、（ｃ）は上面図である。
【図３】図１に示される照明装置の電源格納部の構成を示す図であって、（ａ）は正面図であり、（ｂ），（ｃ）は底面図であり、（ｄ）は上面図である。
【図４】図１に示される照明装置の光源格納部の構成を示す図であって、（ａ）は正面図であり、（ｂ），（ｃ）は上面図であり、（ｄ），（ｅ）は斜視図である。
【図５】上記光源格納部のバネ部の構成を示す図であって、（ａ）は上面図であり、（ｂ）は正面図であり、（ｃ）は側面図である。
【図６】上記電源格納部のバネ受け部の構成を示す図であって、（ａ）は上面図であり、（ｂ）は正面図であり、（ｃ）は側面図である。
【図７】上記バネ部と上記バネ受け部とを接続した構成を示す正面図である。
【図８】上記光源格納部のカバーの構成を示す斜視図である。
【図９】上記カバーの詳細構成を示す図であって、（ａ）は側面図であり、（ｂ）は正面図であり、（ｃ）は（ｂ）の範囲Ｑの拡大図である。（ｂ）は正面図である。
【図１０】上記光源格納部の構造を示す断面である。
【図１１】上記光源格納部のサイドカバーの構成を示す斜視図である。
【図１２】上記サイドカバーの詳細構成を示す図であって、（ａ）は上面図であり、（ｂ）は正面図であり、（ｃ）は下面図であり、（ｄ）は側面図であり、（ｅ）は（ｂ）とは反対側の正面図であり、（ｆ）は（ｂ）の範囲Ｐの拡大図であり、（ｇ）は（ｂ）のＡ−Ａ断面を示す断面図であり、（ｈ）は（ｂ）のＢ−Ｂ断面を示す断面図である。
【図１３】（ａ）は上記照明装置におけるカバーに複数のサイドカバーを取り付ける前のカバーおよび複数のサイドカバーの構成を示す正面図であり、（ｂ）はカバーに複数のサイドカバーを取り付けた後のカバーおよび複数のサイドカバーの構成を示す正面図であり、（ｃ）は上記光源格納部を上記電源格納部に取り付ける前の状態を示す正面図であり、（ｄ）は上記光源格納部を上記電源格納部に取り付ける前の状態を示す斜視図である。
【図１４】（ａ）は上記サイドカバーにおける第１位置決め部材の写真であり、（ｂ）は第１位置決め部材を穴に挿入する前の写真であり、（ｃ）は第１位置決め部材を穴に挿入した後の写真である。
【図１５】上記サイドカバーにおける第１位置決め部材と上記バネ部との高さの関係を示す図である。
【図１６】（ａ）は上記バネ部および上記バネ受け部を並べた状態を示す図であり、（ｂ）は上記バネ部の上記バネ受け部への結合および上記バネ部の上記バネ受け部からの取り外しの手順を示す図である。
【図１７】本発明の実施形態２に係る照明装置における本体シャーシ、上記バネ部およびバネ受け部の構造を示す断面である。
【図１８】本発明の実施形態３に係る照明装置の本体シャーシにおけるバネ受け部の配置を示す図であって、（ａ）は斜視図であり、（ｂ）は解除穴における断面構造を示す断面図であり、（ｃ）は解除穴における他の断面構造を示す断面図である。
【発明を実施するための形態】
【００１２】
〔実施形態１〕
本発明の第一実施形態について、図１〜図１６に基づき説明する。
【００１３】
≪照明装置の構成≫
図１は、本実施形態の照明装置２０の構成を示す斜視図である。
【００１４】
図１に示されるように、照明装置２０は、電源格納部３０と、光源格納部４０とを備える。照明装置２０は、電源格納部３０側から所定の部材（例えば天井）に装着される。
【００１５】
図２は、図１に示される照明装置２０の詳細構成を示す図であって、（ａ）は正面図であり、（ｂ）は側面図であり、（ｃ）は上面図である。
【００１６】
図２の（ａ）に示されるように、電源格納部３０と、光源格納部４０とは、互いに接続されている。電源格納部３０には、３個の解除穴３１が設けられている。解除穴３１は、電源格納部３０と光源格納部４０との接続の解除に利用される。
【００１７】
図２の（ｂ）に示されるように、電源格納部３０は、ノックアウト３２を備える。ノックアウト３２を打つまたは切ることにより、電源格納部３０の内部に通じる穴を設けることができる。
【００１８】
図２の（ｃ）に示されるように、電源格納部３０は、複数の突起３３と、突出部３４とを備える。電源格納部３０には、複数の取付穴３５と、複数の配線穴３６（交流電圧の電線を通す穴）とが設けられている。取付穴３５は、照明装置２０を所定の部材に取り付けるために利用される。配線穴３６は、照明装置２０の内部に配線を引き込むために利用される。突出部３４は、取付穴３５と配線穴３６との間に形成されている。
【００１９】
（電源格納部）
電源格納部３０は、照明装置２０の光源などに電力を供給する電源部８を格納する。
【００２０】
図３は、図１に示される照明装置２０の電源格納部３０の構成を示す図であって、（ａ）は正面図であり、（ｂ）は（ａ）に示される範囲Ａの底面図であり、（ｃ）は（ａ）に示される範囲Ｂの底面図であり、（ｄ）は範囲Ｂの上面図である。なお、電源格納部３０の、光源格納部４０に対向する側を底面とし、この底面の反対側を上面としている。
【００２１】
図３の（ａ）に示されるように、電源格納部３０は、本体シャーシ７と、電源端子台９と、調光端子台１０と、複数のバネ受け部１１とを備える。
【００２２】
電源部８は、電源格納部３０の、突出部３４が設けられた位置（図３の（ａ）において斜線で示される位置）に格納される。具体的には、突出部３４は、電源格納部３０の内面において凹部になっている。そして、電源部８は、この凹部に格納される。この電源部８は、交流電圧を受けて直流電圧をＬＥＤに供給する。
【００２３】
図３の（ｂ）に示されるように、電源格納部３０は、第１配線３９をさらに備える。第１配線３９の一端は、電源部８に接続されている。また、第１配線３９の他端には、コネクタ３９１が取り付けられている。電源部８は、交流電圧を受け、この第１配線３９を介し直流電圧を後述のＬＥＤに供給する。
【００２４】
図３の（ｃ）に示されるように、電源端子台９と、調光端子台１０とは、本体シャーシ７に取り付けられている。上述の突起３３と、突出部３４とは、本体シャーシ７に設けられている。電源端子台９および調光端子台１０は、それぞれ、電源部８に配線で接続されている。
【００２５】
図３の（ｃ）〜（ｄ）に示されるように、配線穴３６の縁に、絶縁キャップ３６１が取り付けられている。これにより、電線が金属製の本体シャーシ７で擦れてショートすることを防止できる。特に、突起３３により、本体シャーシ７と、照明装置２０が装着される部材（天井など）との間に隙間が形成される場合には、上述の交流電線（配線穴３６を通る電線）は、この隙間を動きやすい。この場合にも、絶縁キャップ３６１は、上述のショートを有効に防止できる。この電線は、例えば、ＶＶＦ（Vinyl insulated Vinyl sheeted Flat-type）線である。また、電線には、アース線も含まれる。
【００２６】
（光源格納部）
光源格納部４０は、電源格納部３０に取り付けられており、複数の発光ダイオード（ＬＥＤ）を格納している。
【００２７】
図４は、図１に示される照明装置２０の光源格納部４０の構成を示す図であって、（ａ）は正面図であり、（ｂ）は（ａ）に示される範囲Ｃの上面図であり、（ｃ）は（ｂ）においてサイドカバー２が外された状態を示し、（ｄ）は範囲Ｃの斜視図であり、（ｅ）は（ｄ）においてサイドカバー２が外された状態を示す。なお、光源格納部４０の、電源格納部３０に対向する側を上面としている。
【００２８】
図４の（ａ）に示されるように、光源格納部４０は、カバー１と、複数のサイドカバー２と、反射板３と、ＬＥＤ実装基板４と、複数のバネ部５と、複数の落下防止ヒモ６とを備える。サイドカバー２は、光源格納部４０の両端を覆っている。ＬＥＤ実装基板４は、カバー１に覆われており、かつ、反射板３に固定されている。バネ部５は、上述のバネ受け部１１に接続・固定されることにより、光源格納部４０を電源格納部３０に接続・固定する。さらに、バネ部５は、カバー１と反射板３との位置関係を固定している。
【００２９】
（電気的接続）
図４の（ｂ）および（ｄ）に示されるように、光源格納部４０は、第２配線４９（直流電圧供給線）を備える。この第２配線４９の一端は、後述するようにＬＥＤ実装基板４（ＬＥＤ）から引き出されている。また、第２配線４９の他端には、コネクタ４９１が取り付けられている。そして、コネクタ４９１と、上述のコネクタ３９１とが接続されることにより、ＬＥＤ実装基板４と、電源部８とが、電気的に接続される。すなわち、ＬＥＤは、電源格納部３０に格納された電源部８と配線によって電気的に接続されている。具体的には、電源格納部３０は、電源部８から引き出された第１配線３９を有する一方、光源格納部４０は、ＬＥＤ実装基板４（ＬＥＤ）から引き出された第２配線４９を有している。また、第１配線３９と第２配線４９とは、それぞれコネクタを有しており、これらのコネクタが接続されることにより、電気的に接続される。
【００３０】
ここで、サイドカバー２と反射板３との間には、第２配線４９を通す穴（隙間）が設けられている。また、図４の（ｃ）および（ｅ）に示されるように、反射板３の範囲Ｄには、開口部が設けられている。ＬＥＤ実装基板４は、この開口部からサイドカバー２側に露出している。そして、第２配線４９は、この隙間と開口部とを介し、ＬＥＤ実装基板４に接続されている。
【００３１】
第２配線４９を通す隙間には、スポンジ１９が取り付けられ塞がれている。これにより、ＬＥＤ実装基板４に、埃や虫が侵入することを防止できる。
【００３２】
スポンジ１９を用いることにより、隙間の形状に合わせて容易に変形させながら隙間を塞ぐことができる。また、スポンジ１９は配線より軟らかい材料であるため、第２配線４９のダメージを低減でき短絡防止できる。さらに、スポンジ１９は接着部材で隙間を塞ぐのとは異なり、サイドカバー２を容易に何度も繰り返して取り付けたり取り外したりすることが可能である。
【００３３】
（バネ部およびバネ受け部）
図５は、図４の（ａ）に示される光源格納部４０のバネ部５の構成を示す図であって、（ａ）は上面図であり、（ｂ）は正面図であり、（ｃ）は側面図である。
【００３４】
図５の（ａ）〜（ｃ）に示されるように、バネ部５は、弾性を有する端部５１を備える。
【００３５】
図６は、図３の（ａ）に示される電源格納部３０のバネ受け部１１の構成を示す図であって、（ａ）は上面図であり、（ｂ）は正面図であり、（ｃ）は側面図である。
【００３６】
図６の（ａ）〜（ｃ）に示されるように、バネ受け部１１は、バネ部５の端部５１と噛み合わされる端部１１１を備える。
【００３７】
図７は、図５に示されるバネ部５と、図６に示されるバネ受け部１１とを接続した構成を示す正面図である。
【００３８】
図７に示されるように、バネ部５の端部５１と、バネ受け部１１の端部１１１とが、噛み合うように、バネ部５と、バネ受け部１１とは、接続される。
【００３９】
（カバー）
図８は、図４の（ａ）に示される光源格納部４０のカバー１の構成を示す斜視図である。
【００４０】
図９は、図８に示されるカバー１の詳細構成を示す図であって、（ａ）は側面図であり、（ｂ）は正面図であり、（ｃ）は（ｂ）の範囲Ｑの拡大図である。
【００４１】
図８と、図９の（ａ）〜（ｂ）とに示されるように、カバー１は、一方向に湾曲している。図９の（ｃ）に示されるように、カバー１の端部は、カバー１の内部を向いた凹部を形成している。カバー１の端部付近の部位は、所定の曲率を有するように形成されている。
【００４２】
（光源格納部の詳細構造）
図１０は、光源格納部４０の構造を示す断面図である。
【００４３】
図１０に示されるように、光源格納部４０は、カバー１が長手方向に沿った両方の側端縁部で反射板３（配置板）と係合すると共に、バネ部５（接続部材）がネジ６０により反射板３に固定されることにより構成されている。反射板３のカバー１側の面には、ＬＥＤ４ａ（光源）を実装したＬＥＤ実装基板４が固定されている。
【００４４】
カバー１は、両方の側縁端部に係合溝１ａ（係合部）を有している。係合溝１ａは、カバー１の内側に水平に伸びる水平部と、当該水平部と間隔をおいて平行になるように折り曲げられる折り曲げ部とを有し、水平部と折り曲げ部とで溝構造が形成される。カバー１は、ＬＥＤ４ａの光を透過する。
【００４５】
反射板３は、両方の側縁端部に係合片３ａを有している。係合片３ａは、反射板３のＬＥＤ実装基板４の固定された面と反対側の面と対向するように折り曲げられることで形成されている。
【００４６】
係合片３ａが係合溝１ａ内に差し入れられることにより、遊びをもった状態で、カバー１と反射板３とが係合する。これにより、カバー１が反射板３に対してスライドすることができる。
【００４７】
上記のように、カバー１と反射板３とが係合することにより、カバー１の落下を防止するための固定用部材（ネジ）が不必要となる。これにより、作業工数を減らすと共に、光源格納部４０の内部に埃や虫が侵入するのを防止することができる。
【００４８】
バネ部５の端部５１（可動部）は、ネジ６０により固定される固定部５２から立ち上がるように折り曲げられている板バネの部分である。端部５１は、固定部５２の付近で、カバー１の係合溝１ａによって押し込まれる力に抗して広がろうとすることにより、係合溝１ａの外側端面を矢印方向に押圧するように押圧力（バネ力）を作用させている。端部５１において、係合溝１ａの外側端面に当接し、係合溝１ａに上記押圧力を作用させる部分が押圧部５１ａとなる。カバー１は、この押圧力を受けて変形することにより、係合溝１ａが反射板３の係合片３ａに押し付けられる。これにより、係合溝１ａが係合片３ａに押し当てられるので、反射板３に対するカバー１の動きが抑制される。
【００４９】
したがって、係合溝１ａと係合片３ａとの係合部分におけるガタつきを解消することができると共に、光源格納部４０を電源格納部３０と接続固定するためのバネ部５を用いて、反射板３とカバー１との位置関係を固定することができる。換言すれば、バネ部５が、光源格納部４０を電源格納部３０に結合させる機能と、係合部分のガタつきを無くす機能とを兼ね備えている。よって、これらの機能を実現するために、新たな部品を用いる必要が無く、コストの削減および作業工数削減が可能となる。
【００５０】
なお、バネ部５は、端部５１の弾性によってカバー１を押圧しているが、バネ部５がカバー１を押圧する構造としては、これには限定されない。例えば、端部５１における係合溝１ａの外側端面に当接する部分に突起を設け、当該突起により係合溝１ａを押圧してもよい。このような構造では、端部５１において、バネ受け部１１と係合する部分は弾性を有する必要があるが、突起が設けられた部分は弾性を有する必要はない。
【００５１】
（サイドカバー）
図１１は、図４の（ａ）に示される光源格納部４０のサイドカバー２の構成を示す斜視図である。図１２は、図１１に示されるサイドカバー２の詳細構成を示す図であって、（ａ）は上面図であり、（ｂ）は正面図であり、（ｃ）は下面図であり、（ｄ）は側面図であり、（ｅ）は（ｂ）とは反対側の正面図であり、（ｆ）は（ｂ）の範囲Ｐの拡大図であり、（ｇ）は（ｂ）のＡ−Ａ断面を示す断面図であり、（ｈ）は（ｂ）のＢ−Ｂ断面を示す断面図である。
【００５２】
図１１と、図１２の（ａ）〜（ｇ）とに示されるように、サイドカバー２は、電源格納部３０との位置関係を定めるための位置決め部材２１を備える。サイドカバー２は、ＬＥＤ４ａの光を透過する部材であることが好ましい。
【００５３】
（サイドカバーによる位置決め構造）
図１３の（ａ）および（ｂ）は、カバー１および複数のサイドカバー２の構成を示す正面図であって、（ａ）は、カバー１に複数のサイドカバー２を取り付ける前の状態を示し、（ｂ）は、カバー１に複数のサイドカバー２を取り付けた後の状態を示している。図１３の（ｃ）および（ｄ）は、光源格納部４０を電源格納部３０に取り付ける前の状態を示す図であって、（ｃ）は正面図であり、（ｄ）は斜視図である。
【００５４】
図１３の（ａ）に示されるように、カバー１には、前述のように、ＬＥＤ４ａが実装されたＬＥＤ実装基板４を固定している反射板３（図１０参照）が取り付けられている。また、カバー１は、反射板３との間で形成される前述の係合構造によって、反射板３に対して相対的にスライド可能となるように形成されている。
【００５５】
図１３の（ａ）に示されるように、複数のサイドカバー２は、光源格納部４０の一端を覆いカバー１の一端１６に近接する第１サイドカバー１２と、光源格納部４０の他端を覆いカバー１の他端２６に近接する第２サイドカバー２２とからなっている。図１３の（ｂ）に示されるように、カバー１に第１サイドカバー１２および第２サイドカバー２２が取り付けられる。
【００５６】
第１サイドカバー１２は、被覆部１３と、カバー内接部１４と、前述の位置決め部材２１に相当する第１位置決め部材１５と、反射板３にサイドカバー２を固定する固定部１４ａとを有している。ここでは、カバー１と第１サイドカバー１２とが並ぶ方向を第１方向とする。
【００５７】
被覆部１３は、第１方向に対して垂直な面に沿って、カバー１の一端１６および光源格納部４０によって規定される開口部分（カバー１および反射板３によって規定される開口部分）を覆っている。被覆部１３は、カバー１の一端１６に対して、第１方向に設けられている。
【００５８】
カバー内接部１４は、カバー１に対する第１サイドカバー１２の位置を規定するものであり、特に、第１方向に対して垂直な方向における位置を規定するものである。また、カバー１にカバー内接部１４が内接することにより、カバー１と第１サイドカバー１２との間から、カバー１および複数のサイドカバー２によって覆われた領域内に、埃または虫等が侵入することを防いでいる。カバー内接部１４は、カバー１の一端１６に対して、第１方向に対して垂直な方向に設けられており、第１方向に延伸している。
【００５９】
第１位置決め部材１５は、電源格納部３０に対する第１サイドカバー１２の位置を規定するものである。電源格納部３０に第１位置決め部材１５挿入用の穴または窪みを設け、光源格納部４０を電源格納部３０に取り付ける際にさらに、この穴または窪みに第１位置決め部材１５を挿入すれば、電源格納部３０と第１サイドカバー１２との位置関係を容易に固定することができる。
【００６０】
第２サイドカバー２２は、被覆部２３と、カバー内接部２４と、前述の位置決め部材２１に相当する第２位置決め部材２５と、反射板３にサイドカバー２を固定する固定部２４ａとを有している。ここでは、カバー１と第２サイドカバー２２とが並ぶ方向を第２方向とする。
【００６１】
被覆部２３は、第２方向に対して垂直な面に沿って、カバー１の他端２６および光源格納部４０によって規定される開口部分（カバー１および反射板３によって規定される開口部分）を覆っている。被覆部２３は、カバー１の他端２６に対して、第２方向に設けられている。
【００６２】
カバー内接部２４は、カバー１に対する第２サイドカバー２２の位置を規定するものであり、特に、第２方向に対して垂直な方向における位置を規定するものである。また、カバー１にカバー内接部２４が内接することにより、カバー１と第２サイドカバー２２との間から、カバー１および複数のサイドカバー２によって覆われた領域内に、埃または虫等が侵入することを防いでいる。カバー内接部２４は、カバー１の他端２６に対して、第２方向に対して垂直な方向に設けられており、第２方向に延伸している。
【００６３】
第２位置決め部材２５は、電源格納部３０に対する第２サイドカバー２２の位置を規定するものである。電源格納部３０に第２位置決め部材２５挿入用の穴または窪みを設け、光源格納部４０を電源格納部３０に取り付ける際にさらに、この穴または窪みに第２位置決め部材２５を挿入すれば、電源格納部３０と第２サイドカバー２２との位置関係を容易に固定することができる。
【００６４】
具体的には、図１３の（ｃ）および（ｄ）に示されるように、電源格納部３０に第１位置決め部材１５および第２位置決め部材２５挿入用の穴６１を設け、光源格納部４０を電源格納部３０に取り付ける際にさらに、この穴６１に第１位置決め部材１５および第２位置決め部材２５を挿入する。これにより、電源格納部３０と第１サイドカバー１２および第２サイドカバー２２との位置関係を容易に固定することができ、ひいては、電源格納部３０と光源格納部４０との位置関係を容易に固定することができる。
【００６５】
例えば、電源格納部３０を部屋等の天井に設置した後、電源格納部３０に光源格納部４０を取り付ける場合、高所での作業を伴い、概して作業性が悪い。第１位置決め部材１５および第２位置決め部材２５を用いて電源格納部３０と光源格納部４０との位置関係を固定することで、位置関係の固定を容易にし、作業性の改善を図ることができる。
【００６６】
また、第１位置決め部材１５および第２位置決め部材２５を、それぞれ、第１サイドカバー１２および第２サイドカバー２２に設けることにより、別途位置決め用の部材を用意する必要が無くなり、コスト削減および作業工数削減が可能となる。
【００６７】
図１４の（ａ）に第１位置決め部材１５の写真を示し、図１４の（ｂ）に第１位置決め部材１５を穴６１に挿入する前の写真を示し、図１４の（ｃ）に第１位置決め部材１５を穴６１に挿入した後の写真を示した。
【００６８】
（位置決め部材とバネ部との高さ関係）
図１５は、上記サイドカバーにおける位置決め部材と上記バネ部との高さの関係を示す図である。
【００６９】
図１５に示されるように、第１位置決め部材１５の光源格納部４０の外部に突出している突出部分の最も高い部分の第１高さＨ１は、バネ部５の光源格納部４０の外部に突出している突出部分の最も高い部分の第２高さＨ２よりも高いことが好ましい。これは、第２位置決め部材２５についても当てはまり、第２位置決め部材２５の光源格納部４０の外部に突出している突出部分の最も高い部分の高さ（第１高さＨ１）は、バネ部５の第２高さＨ２よりも高いことが好ましい。
【００７０】
第１位置決め部材１５および第２位置決め部材２５について、このような高さを設定することにより、次のようにバネ部５を保護することができる。例えば、照明装置２０を設置するための施工作業時の際、光源格納部４０は床に置かれることが多々ある。このため、光源格納部４０を床に置くときに生じる衝撃によって、バネ部５が変形することがある。あるいは、光源格納部４０が床に長時間置かれている状態で、床に接したバネ部５が光源格納部４０の荷重などにより徐々に変形していくことがある。このようなバネ部５の変形により、電源格納部３０に光源格納部４０を取り付ける際に、バネ部５とバネ受け部１１との係合に不具合が生じる。
【００７１】
これに対し、第１位置決め部材１５および第２位置決め部材２５の第１高さＨ１とバネ部５の第２高さＨ２とを上記の関係となるように設定することにより、バネ部５を保護する構造を得ることができる。この構造により、第１位置決め部材１５および第２位置決め部材２５を床に向けるようにして光源格納部４０を床の上に置いた際に、第１位置決め部材１５および第２位置決め部材２５が床に当たるが、バネ部５は床に当たらない。これにより、バネ部５の変形を防止することができる。また、安定状態（電源格納部３０に光源格納部４０が取り付けられた状態）、あるいは光源格納部４０を取り外す際に、バネ部５の変形に起因するトラブルを未然に防止することができる。
【００７２】
（バネ部とバネ受け部との結合およびその解除）
図１６の（ａ）はバネ部５およびバネ受け部１１を並べた状態を示す図であり、図１６の（ｂ）はバネ部５のバネ受け部１１への結合およびバネ部５のバネ受け部１１からの取り外しの手順を示す図である。
【００７３】
図７および図１６の（ａ）に示されるように、バネ受け部１１は、光源格納部４０の荷重を受けても変形しない剛性を有するように、バネ部５よりも幅が広く、かつ、厚い金属板により形成されている。バネ部５は、端部５１をバネとして機能させることと、バネ受け部１１により保持されることから、高い剛性が要求されないが、バネ受け部１１は、光源格納部４０の荷重を支えるために、高い剛性が要求される。そこで、バネ部５が、光源格納部４０の荷重を支えるようにバネ受け部１１材より厚く形成されることにより、バネ受け部１１の変形を防止することができる。
【００７４】
バネ部５のバネ受け部１１への結合およびその解除については、図１６の（ｂ）に示す（Ａ）〜（Ｄ）のようにして行われる。まず、（Ａ）のバネ部５がバネ受け部１１から離れている状態から、（Ｂ）のようにしてバネ部５（光源格納部４０）をバネ受け部１１（電源格納部３０）に接触させた状態で、さらに光源格納部４０を電源格納部３０側に押し込む。これにより、（Ｃ）のように、バネ部５がバネ受け部１１と結合して、光源格納部４０が電源格納部３０と組み合わされる。この状態では、バネ部５の端部５１がバネ受け部１１の端部１１１と噛み合う（係合する）ことにより、バネ部５がバネ受け部１１と結合している。
【００７５】
また、この状態で、治具によりバネ部５の一方の端部５１を押す（図１６における左向きの矢印の方向に押す）ことにより、（Ｄ）のように、当該端部５１とバネ受け部１１の端部１１１との噛み合いが外れる。さらに他方の端部５１とバネ受け部１１の端部１１１との噛み合いを外すことで、（Ａ）のように、バネ受け部１１からバネ部５を外して、光源格納部４０が電源格納部３０から取り外される。
【００７６】
〔実施形態２〕
本発明の他の実施形態について、図１〜図１７に基づいて説明すれば、以下のとおりである。なお、説明の便宜上、前記実施形態１にて説明した部材と同じ機能を有する部材については、同じ符号を付記し、その説明を省略する。
【００７７】
図１７は、本発明の実施形態２に係る照明装置における本体シャーシ７、バネ部５およびバネ受け部１１の構造を示す断面である。
【００７８】
本実施形態の照明装置２０も、基本的には、図１〜図１６に示されるように、実施形態１の照明装置２０と同様に構成されている。本実施形態では、図１７に示すように、バネ部５の端部５１とバネ受け部１１（保持部材）の端部１１１とが、電源格納部３０の外枠を形成する本体シャーシ７（筐体）の内部で係合している。これにより、バネ受け部１１は、本体シャーシ７の内部でバネ部５を保持することができる。
【００７９】
特許文献２に記載された構造では、器具本体を保持する係合板が露出しているので、係合板が不用意に押されると、器具本体がシャーシから脱落する可能性がある。これに対し、図１７に示されるバネ部５とバネ受け部１１との係合構造は、露出していないので、バネ部５が不用意に押されることで、電源格納部３０と光源格納部４０との接続が解除され、光源格納部４０が脱落するのを防止することができる。
【００８０】
〔実施形態３〕
本発明のさらに他の実施形態について、図１〜図１６、図１８に基づいて説明すれば、以下のとおりである。なお、説明の便宜上、前記実施形態１および２にて説明した部材と同じ機能を有する部材については、同じ符号を付記し、その説明を省略する。
【００８１】
図１８の（ａ）は本発明の実施形態３に係る照明装置の本体シャーシ７におけるバネ受け部の配置を示す図であって、（ａ）は斜視図であり、（ｂ）は解除穴３１における断面構造を示す断面図であり、（ｃ）は解除穴３１における他の断面構造を示す断面図である。
【００８２】
本実施形態の照明装置２０も、基本的には、図１〜図１６に示されるように、実施形態１の照明装置２０と同様に構成されている。本実施形態では、図１８の（ａ）に示されるように、本体シャーシ７（トラフ）に、電源格納部３０と光源格納部４０との接続を解除する操作を行うための解除穴３１（操作穴）が設けられている。本体シャーシ７は、バネ受け部１１が固定される固定板７ａと、固定板７ａの両方の側端部に設けられた側壁板７ｂとを有している。解除穴３１は、側壁板７ｂにおける、バネ受け部１１が固定される側方の位置に形成されている。
【００８３】
実施形態１において図１６を参照して説明した、バネ部５とバネ受け部１１との係合を解除するときに、次のように解除穴３１が利用される。
【００８４】
解除穴３１から治具を差し込んでバネ部５の端部５１を押すだけで、バネ部５とバネ受け部１１との係合が解除されるので、容易に電源格納部３０と光源格納部４０との接続を解除できる。解除穴３１によって、バネ部５を押す位置、方向が明確に定まるので、照明装置２０が設置される天井面近くでも、良好な作業性を確保することができる。
【００８５】
また、解除穴３１が治具を挿入できる程度に小さく形成されることや、一般に照明装置２０が利用者から離れて設置されることや、光源格納部４０が電源格納部３０よりも幅が広いことから、解除穴３１が露出していてもほとんど目につくことはない。したがって、照明装置２０の外観上の美観が解除穴３１によって損なわれることはない。
【００８６】
また、解除穴３１およびバネ受け部１１は、本体シャーシ７の長手方向について同じ位置にあり、図１８の（ｂ）および（ｃ）に示されるように、バネ受け１１は、本体シャーシ７に内接して設置されている。図１８の（ｂ）に示される構造では、バネ受け部１１の端部１１１ａが固定板７ａ側に９０度未満の角度で折り曲げられている。一方、図１８の（ｃ）に示される構造では、バネ受け部１１の端部１１１ｂが固定板７ａと平行に伸びる部分と、端部１１１ａと同様に折り曲げられる部分とからなる。バネ受け１１が本体シャーシ７に内接して設置されることにより、本体シャーシ７における解除穴３１付近の機械的強度を補うことができる。
【００８７】
なお、本実施形態では、本体シャーシ７の長さにもよるが、図２に示すように、解除穴３１が、本体シャーシ７の中央部付近と、両端部付近との３箇所に設けられていることが好ましい。ただし、解除穴３１が設けられる箇所は３箇所に限定されないことは勿論である。
【００８８】
〔まとめ〕
本発明の態様１に係る照明装置は、筐体（本体シャーシ７）と、光源（ＬＥＤ４ａ）を格納する光源格納部４０とを備え、前記光源格納部４０が、前記光源が配置された配置板（反射板３）と、前記光源を覆い、前記配置板と係合する係合部（係合溝１ａ）を有するカバー１と、前記光源格納部４０を前記筐体と接続する接続部材（バネ部５）とを有し、前記接続部材が、前記係合部を前記配置板に押し当てるように前記係合部を押圧する押圧部５１ａを有している。
【００８９】
上記の構成によれば、接続部材の押圧部５１ａが、カバー１を係合部で押圧することにより、カバー１が配置板に押し当てられる。これにより、カバー１が配置板に遊びをもった状態で係合していても、配置板とカバー１との位置関係を固定することができる。また、カバー１が配置板に遊びをもたない状態で係合していても、配置板とカバー１との位置関係をより強固に固定することができる。
【００９０】
これにより、接続部材が、光源格納部４０を筐体と接続する機能だけでなく、配置板とカバー１との位置関係を固定する機能をも兼ね備えることになる。したがって、配置板とカバー１との位置関係を固定するための新たな部品が不要となり、コスト削減および作業工数削減を図ることができる。
【００９１】
本発明の態様２に係る照明装置は、上記態様１において、前記筐体が、前記筐体の内部で前記接続部材を保持する保持部材を有していてもよい。
【００９２】
上記の構成によれば、保持部材が接続部材を保持する構造が、筐体の内部に形成されるので、保持部材による接続部材の保持を解除される操作が不用意に行われることを防止することができる。したがって、筐体と光源格納部４０との接続が不用意に解除されることによって、光源格納部４０が脱落することを回避することができる。
【００９３】
本発明の態様３に係る照明装置は、上記態様２において、前記接続部材が、前記配置板における前記光源が固定された面と反対側の面に設けられ、前記保持部材が、前記筐体の内部に配置されていてもよい。
【００９４】
上記の構成によれば、保持部材が接続部材を筐体の内部で保持する構造を容易に得ることができる。
【００９５】
本発明の態様４に係る照明装置は、上記態様２または３において、前記筐体には、前記保持部材による前記接続部材の保持を解除する操作を行うための操作穴（解除穴３１）が設けられていてもよい。
【００９６】
上記の構成によれば、操作穴から、接続部材の保持を解除する操作を行うことができる。例えば、操作穴から治具を差し込むようにすれば、接続部材の保持を容易に解除して、筐体からの光源格納部の取り外し作業を軽減することができる。
【００９７】
本発明の態様５に係る照明装置は、上記態様４において、前記保持部材が、前記操作穴の付近に固定されていてもよい。
【００９８】
上記の構成によれば、筐体においては、操作穴が形成される部位の強度が他の部位よりも低いので、操作穴の付近で保持部材が固定されることにより、筐体における操作穴の付近の機械的強度を補うことができる。
【００９９】
本発明の態様６に係る照明装置は、上記態様１において、前記光源格納部４０が、前記筐体との位置関係を定めるための位置決め部材（第１位置決め部材１５および第２位置決め部材２５）を有していてもよい。
【０１００】
上記の構成によれば、筐体に光源格納部４０を取り付ける際に、位置決め部材を用いて筐体に対する光源格納部４０の取り付け位置を容易に定めることができる。したがって、筐体への光源格納部４０を取り付ける作業の作業性を向上させることができる。
【０１０１】
本発明の態様７に係る照明装置は、上記態様６において、前記位置決め部材の前記光源格納部４０から突出している部分の最も高い部分の高さは、前記接続部材の前記光源格納部４０から突出している部分の最も高い部分の高さよりも高くてもよい。
【０１０２】
上記の構成によれば、光源格納部４０を筐体に接続する作業時に、光源格納部４０を床に置く場合に、位置決め部材が床に接するが、接続部材は床に接しない。これにより、接続部材部の変形を防止することができる。
【０１０３】
本発明の態様８に係る照明装置は、上記態様１において、前記筐体が、前記接続部材を保持する保持部材をさらに有しており、前記保持部材が、前記光源格納部４０の荷重を支えるように、前記接続部材より厚く形成されていてもよい。
【０１０４】
上記の構成において、接続部材は、保持部材により保持されるので、高い剛性が要求されないが、保持部材は、光源格納部４０の荷重を支えるために、高い剛性が要求される。そこで、保持部材が、光源格納部４０の荷重を支えるように接続部材より厚く形成されることにより、保持部材の変形を防止することができる。
【０１０５】
本発明の態様９に係る照明装置は、上記態様１において、前記接続部材が、板バネとして形成される可動部をさらに有しており、カバーが、前記可動部によって押圧されていてもよい。
【０１０６】
上記の構成によれば、簡素な構造でカバーを押圧することができる。したがって、照明装置を簡素に構成することができる。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０８】
本発明は、電源を格納する電源格納部に対し、電源格納部と別体に形成された光源格納部を取り付ける構造を有する照明装置に利用することができる。
【符号の説明】
【０１０９】
１  カバー
１ａ  係合溝（係合部）
２  サイドカバー
３  反射板（配置板）
３ａ  係合片
４ａ  ＬＥＤ（光源）
５  バネ部（接続部材）
７  本体シャーシ（筐体）
１１  バネ受け部
１２  第１サイドカバー
１５  第１位置決め部材
２１  位置決め部材
２２  第２サイドカバー
２５  第２位置決め部材
３０  電源格納部
３１  解除穴（操作穴）
４０  光源格納部
５１  端部（可動部）
５１ａ  押圧部
１１１，１１１ａ，１１１ｂ  端部
Ｈ１  第１高さ
Ｈ２  第２高さ
【図１】
2016052484.tif 000003
【図２】
2016052484.tif 000004
【図３】
2016052484.tif 000005
【図４】
2016052484.tif 000006
【図５】
2016052484.tif 000007
【図６】
2016052484.tif 000008
【図７】
2016052484.tif 000009
【図８】
2016052484.tif 000010
【図９】
2016052484.tif 000011
【図１０】
2016052484.tif 000012
【図１１】
2016052484.tif 000013
【図１２】
2016052484.tif 000014
【図１３】
2016052484.tif 000015
【図１４】
2016052484.tif 000016
【図１５】
2016052484.tif 000017
【図１６】
2016052484.tif 000018
【図１７】
2016052484.tif 000019
【図１８】
2016052484.tif 000020
【国際調査報告】
2016052484.tif 000021
2016052484.tif 000022
2016052484.tif 000023
2016052484.tif 000024